(57)【要約】  【課題】記録内容を簡単かつ正確に管理でき、記録媒体を装置に装填せずに、簡単に記録内容を確認できるコンテンツ表示方法およびシステムを提供する。  【解決手段】コンテンツが収納された、外観から識別可能な収納媒体を撮影して撮影画像データを得、得られた撮影画像データから収納媒体の識別情報を取得し、取得された収納媒体の識別情報とコンテンツに対応するコンテンツデータとを関連付けて記憶手段に記憶しておき、収納媒体を撮影して取得された収納媒体の識別情報が入力されたときに、入力された識別情報を用いて記憶手段を検索して、入力された識別情報と合致する収納媒体の識別情報を検出し、検出された収納媒体の識別情報と関連付けられて記憶されているコンテンツデータを記憶手段から読み出し、読み出されたコンテンツデータによって、収納媒体に収納されているコンテンツを再生表示することにより、上記課題を解決する。【選択図】図１
2005284367.tif 000002
【特許請求の範囲】
【請求項１】
コンテンツが収納された、外観から識別可能な収納媒体を撮影して撮影画像データを得、得られた撮影画像データから前記収納媒体の識別情報を取得し、取得された前記収納媒体の識別情報と前記コンテンツに対応するコンテンツデータとを関連付けて記憶手段に記憶しておき、
前記収納媒体を撮影して取得された前記収納媒体の識別情報が入力されたときに、入力された前記識別情報を用いて前記記憶手段を検索して、入力された前記識別情報と合致する前記収納媒体の識別情報を検出し、
検出された前記収納媒体の識別情報と関連付けられて記憶されている前記コンテンツデータを前記記憶手段から読み出し、
読み出された前記コンテンツデータによって、前記収納媒体に収納されている前記コンテンツを再生表示するコンテンツ表示方法。
【請求項２】
コンテンツが収納された、外観から識別可能な収納媒体を撮影して得られた撮影画像データを前記収納媒体の識別情報として取得し、取得された前記収納媒体の識別情報と前記コンテンツに対応するコンテンツデータとを関連付けて記憶手段に記憶しておき、
前記コンテンツデータが入力されたときに、入力された前記コンテンツデータを用いて前記記憶手段を検索して、入力された前記コンテンツデータと合致する前記コンテンツデータを検出し、
検出された前記コンテンツデータと関連付けられて記憶されている前記収納媒体の識別情報を前記記憶手段から読み出し、
読み出された前記収納媒体の識別情報によって、前記収納媒体の撮影画像を再生表示するコンテンツ表示方法。
【請求項３】
前記コンテンツは、デジタルデータで構成されるものであり、
前記収納媒体は、前記デジタルデータの記録媒体であり、
前記コンテンツに対応するコンテンツデータは、前記コンテンツを構成するデジタルデータの概要データである請求項１または２に記載のコンテンツ表示方法。
【請求項４】
前記収納媒体の識別情報の取得のための前記収納媒体の撮影、および、前記コンテンツの再生表示または前記収納媒体の撮影画像の再生表示は、撮影機能、再生表示機能および送受信機能を備えた携帯機器によって行われる請求項１〜３のいずれかに記載のコンテンツ表示方法。
【請求項５】
コンテンツが収納された、外観から識別可能な収納媒体を撮影する撮影手段と、
前記撮影手段によって得られた撮影画像データから前記収納媒体の識別情報を取得する取得手段と、
前記収納媒体の識別情報と前記コンテンツに対応するコンテンツデータとを関連付けて記憶する記憶手段と、
前記取得手段によって取得された前記収納媒体の識別情報を用いて前記記憶手段を検索して、前記取得された前記収納媒体の識別情報と合致する前記収納媒体の識別情報を検出する検出手段と、
前記検出手段によって検出された前記収納媒体の識別情報と関連付けられて記憶されている前記コンテンツデータを前記記憶手段から読み出す読出手段と、
前記読出手段によって読み出された前記コンテンツデータによって、前記コンテンツを再生表示する再生表示手段と、を有するコンテンツ表示システム。
【請求項６】
前記コンテンツが収納された、外観から識別可能な収納媒体を撮影する撮影手段と、
前記撮影手段によって得られた撮影画像データを前記収納媒体の識別情報として取得する取得手段と、
前記収納媒体の識別情報と前記コンテンツに対応するコンテンツデータとを関連付けて記憶する記憶手段と、
前記コンテンツデータによって、前記コンテンツを再生表示する再生表示手段と、
前記再生表示手段に再生表示された前記コンテンツからコンテンツを指定する指定手段と、
前記指定手段によって指定された前記コンテンツのコンテンツデータを用いて前記記憶手段を検索して、前記指定された前記コンテンツのコンテンツデータと合致する前記コンテンツデータを検出する検出手段と、
前記検出手段によって検出された前記コンテンツデータと関連付けられて記憶されている前記収納媒体の識別情報を前記記憶手段から読み出す読出手段と、
前記読出手段によって読み出された前記収納媒体の識別情報によって、前記収納媒体の撮影画像を再生表示する画像表示手段と、を有するコンテンツ表示システム。
【請求項７】
前記撮影手段および前記再生表示手段は、撮影機能、再生表示機能および送受信機能を備えた携帯機器によって構成される請求項５に記載のコンテンツ表示システム。
【請求項８】
前記撮影手段、前記再生表示手段および前記画像表示手段は、撮影機能、再生表示機能および送受信機能を備えた携帯機器によって構成される請求項６に記載のコンテンツ表示システム。
【請求項９】
さらに、前記取得手段によって取得された前記収納媒体の識別情報を、前記コンテンツデータと関連付けて前記記憶手段に書き込む書込手段を有する請求項５〜８のいずれかに記載のコンテンツ表示システム。
【請求項１０】
さらに、前記コンテンツを前記記録媒体に記録するとともに、前記コンテンツの記録処理情報を生成する記録手段を有し、
前記書込手段は、前記記録処理情報によって前記コンテンツデータと前記記録媒体の識別情報とを関連付けて前記記憶手段に書き込む請求項９に記載のコンテンツ表示システム。
【請求項１１】
前記コンテンツは、デジタルデータで構成されるものであり、
前記収納媒体は、前記デジタルデータの記録媒体であり、
前記コンテンツに対応するコンテンツデータは、前記コンテンツを構成するデジタルデータの概要データである請求項５〜１０のいずれかに記載のコンテンツ表示システム。
【発明の詳細な説明】
【技術分野】
【０００１】
本発明は、コンテンツ表示方法およびコンテンツ表示システムに関し、詳しくは、コンテンツが収納された収納媒体や、コンテンツデータが記録された記録媒体について、その内部に収納されたコンテンツを再生表示する表示方法およびシステムに関する。
【背景技術】
【０００２】
パソコンの高性能化、デジタル録画装置等のデジタル家電機器の普及、およびネットワーク回線システムの高性能化に伴い、家庭でもパソコンと各種の家電機器とを接続して、いわゆるホームネットワークを構築し、各種のデジタルコンテンツを相互にやりとりして、記録、編集、再生することが行われるようになってきている。
【０００３】
例えば、テレビとパソコンおよび各種記録媒体の記録装置を接続することにより、テレビ番組をパソコンのハードディスクに一時的に録画しておき、後から、記録部分の選択や合成などの編集を加えて記録媒体に記録することや、ハードディスクを備えるＤＶＤ記録装置によって、テレビ番組をＤＶＤ記録装置のハードディスクに一旦記憶し、後から、記録部分を選択してＤＶＤに記録することが行われている。
【０００４】
また、デジタルビデオカメラやデジタルスチルカメラなどをホームネットワークに接続し、ユーザが撮影した画像をそのまま、あるいは編集して、ＣＤ−ＲやＤＶＤなどに記録すること、インターネットで配信された音楽データや、ユーザが作成した音楽データをＣＤ−ＲやＭＤなどの記録媒体に記録することなども一般に行われるようになっている。
【０００５】
一方、記録媒体は大容量化を遂げ、１つの記録媒体に非常に多くのコンテンツを記録できるようになった。さらに、ＤＶＤ−ＲＷ、ＣＤ−ＲＷ、ＭＤといった記録媒体は、データの書き換えが可能である。このような記録媒体は、データの記録の点で非常に便利で便利であるが、記録媒体を再生装置に装填しないと、記録されたコンテンツを参照することができないため、データの管理や検索が不便であるという問題がある。
【０００６】
従来は、記録媒体に記録したコンテンツを記録媒体のラベルに記入することが行われていた。しかし、ラベルの記入作業は非常に面倒であるし、ラベルに記入できる情報はわずかであるため、後から見てコンテンツを的確に識別することが難しかったり、記録されたコンテンツの数が多い場合には必要な情報を記入し切れなかったり、また、ラベル記入後に記録内容が書き換えられて、ラベルとコンテンツが一致しなくなってしまったりすることがあった。
【０００７】
特許文献１には、ビデオテープを再生することなく、録画内容を確認できるように、ビデオテープに記録開始時の静止画像を記録するカメラ一体型磁気記録装置において、カセットテープに半導体メモリを内蔵させ、この半導体メモリに記録開始時の静止画像（インデックス画像など）を書き込むことにより、この静止画像の記録を確実かつ容易にし、ビデオテープの内容確認に際しての再生を素早く行うようにすることが開示されている。
【０００８】
このカメラ一体型磁気記録装置によれば、ラベルなどに録画内容を記入する必要がなく、静止画像を参照することにより、録画内容を確認することができるとされている。しかしながら、カセットテープに半導体メモリを内蔵させる必要があるため、カセットテープのコストアップを招くという問題がある。また、録画内容を確認する際には、カセットテープを読取り装置に装填しなければならず、手間がかかるという問題があった。
【０００９】
また、特許文献２には、記録媒体の外装部分に画像表示素子を装着することにより記録媒体に画像表示部を一体化し、この画像表示部に記録媒体に記録されているデータ内容を表示することにより、記録媒体の内容確認を簡単にすることが開示されている。しかし、この記録媒体のハードウエアは、画像表示素子に記録するための専用の記録装置を備える必要があり、ハードウエアが複雑になり、コストアップを招くという問題があった。
【特許文献１】特開２００３−１０１９２２号公報
【特許文献２】特開２００２−２４５７４７号公報
【発明の開示】
【発明が解決しようとする課題】
【００１０】
本発明の目的は、上記従来技術の問題点を解消し、デジタルデータで構成されるコンテンツを記録媒体に記録した場合に、記録媒体のラベルへ記録内容を詳細に記入するなどの面倒な作業をすることなく、また、記録媒体や記録装置を複雑なものや高価なものとすることなく、記録内容を簡単かつ正確に管理でき、記録媒体を装置に装填せずに、簡単に記録内容（コンテンツ）を確認できるコンテンツ表示方法およびシステムを提供することにある。
【００１１】
また、本発明の他の目的は、物品であるコンテンツを収納ケース等の収納媒体に収納した場合にも、ラベルに収納内容を詳細に記入するなどの面倒な作業をすることなく、収納媒体の中を探索せずに、収納内容を簡単かつ正確に管理でき、また、簡単に収納されたコンテンツを確認できるコンテンツ表示方法およびシステムを提供することにある。
【課題を解決するための手段】
【００１２】
上記課題を解決するために、本発明は、コンテンツが収納された、外観から識別可能な収納媒体を撮影して撮影画像データを得、得られた撮影画像データから前記収納媒体の識別情報を取得し、取得された前記収納媒体の識別情報と前記コンテンツに対応するコンテンツデータとを関連付けて記憶手段に記憶しておき、
前記収納媒体を撮影して取得された前記収納媒体の識別情報が入力されたときに、入力された前記識別情報を用いて前記記憶手段を検索して、入力された前記識別情報と合致する前記収納媒体の識別情報を検出し、
検出された前記収納媒体の識別情報と関連付けられて記憶されている前記コンテンツデータを前記記憶手段から読み出し、
読み出された前記コンテンツデータによって、前記収納媒体に収納されている前記コンテンツを再生表示するコンテンツ表示方法を提供するものである。
【００１３】
また、本発明は、コンテンツが収納された、外観から識別可能な収納媒体を撮影して得られた撮影画像データを前記収納媒体の識別情報として取得し、取得された前記収納媒体の識別情報と前記コンテンツに対応するコンテンツデータとを関連付けて記憶手段に記憶しておき、
前記コンテンツデータが入力されたときに、入力された前記コンテンツデータを用いて前記記憶手段を検索して、入力された前記コンテンツデータと合致する前記コンテンツデータを検出し、
検出された前記コンテンツデータと関連付けられて記憶されている前記収納媒体の識別情報を前記記憶手段から読み出し、
読み出された前記収納媒体の識別情報によって、前記収納媒体の撮影画像を再生表示するコンテンツ表示方法を提供するものである。
【００１４】
ここで、前記コンテンツは、デジタルデータで構成されるものであり、
前記収納媒体は、前記デジタルデータの記録媒体であり、
前記コンテンツに対応するコンテンツデータは、前記コンテンツを構成するデジタルデータの概要データであるのが好ましい。
【００１５】
また、前記収納媒体の識別情報の取得のための前記収納媒体の撮影、および、前記コンテンツの再生表示または前記収納媒体の撮影画像の再生表示は、撮影機能、再生表示機能および送受信機能を備えた携帯機器によって行われるのが好ましい。
【００１６】
また、本発明は、コンテンツが収納された、外観から識別可能な収納媒体を撮影する撮影手段と、
前記撮影手段によって得られた撮影画像データから前記収納媒体の識別情報を取得する取得手段と、
前記収納媒体の識別情報と前記コンテンツに対応するコンテンツデータとを関連付けて記憶する記憶手段と、
前記取得手段によって取得された前記収納媒体の識別情報を用いて前記記憶手段を検索して、前記取得された前記収納媒体の識別情報と合致する前記収納媒体の識別情報を検出する検出手段と、
前記検出手段によって検出された前記収納媒体の識別情報と関連付けられて記憶されている前記コンテンツデータを前記記憶手段から読み出す読出手段と、
前記読出手段によって読み出された前記コンテンツデータによって、前記コンテンツを再生表示する再生表示手段と、を有するコンテンツ表示システムを提供するものである。
【００１７】
また、本発明は、前記コンテンツが収納された、外観から識別可能な収納媒体を撮影する撮影手段と、
前記撮影手段によって得られた撮影画像データを前記収納媒体の識別情報として取得する取得手段と、
前記収納媒体の識別情報と前記コンテンツに対応するコンテンツデータとを関連付けて記憶する記憶手段と、
前記コンテンツデータによって、前記コンテンツを再生表示する再生表示手段と、
前記再生表示手段に再生表示された前記コンテンツからコンテンツを指定する指定手段と、
前記指定手段によって指定された前記コンテンツのコンテンツデータを用いて前記記憶手段を検索して、前記指定された前記コンテンツのコンテンツデータと合致する前記コンテンツデータを検出する検出手段と、
前記検出手段によって検出された前記コンテンツデータと関連付けられて記憶されている前記収納媒体の識別情報を前記記憶手段から読み出す読出手段と、
前記読出手段によって読み出された前記収納媒体の識別情報によって、前記収納媒体の撮影画像を再生表示する画像表示手段と、を有するコンテンツ表示システムを提供するものである。
【００１８】
ここで、前記撮影手段および前記再生表示手段は、撮影機能、再生表示機能および送受信機能を備えた携帯機器によって構成されるのが好ましく、
また、前記撮影手段、前記再生表示手段および前記画像表示手段は、撮影機能、再生表示機能および送受信機能を備えた携帯機器によって構成されるのが好ましい。
【００１９】
また、さらに、前記取得手段によって取得された前記収納媒体の識別情報を、前記コンテンツデータと関連付けて前記記憶手段に書き込む書込手段を有するのが好ましい。
【００２０】
また、さらに、前記コンテンツを前記記録媒体に記録するとともに、前記コンテンツの記録処理情報を生成する記録手段を有し、
前記書込手段は、前記記録処理情報によって前記コンテンツデータと前記記録媒体の識別情報とを関連付けて前記記憶手段に書き込むのが好ましい。
【００２１】
また、前記コンテンツは、デジタルデータで構成されるものであり、
前記収納媒体は、前記デジタルデータの記録媒体であり、
前記コンテンツに対応するコンテンツデータは、前記コンテンツを構成するデジタルデータの概要データであるのが好ましい。
【発明の効果】
【００２２】
本発明によれば、ホームサーバで、記録媒体への記録内容を記憶し、記録媒体の識別情報とセットで記憶するので、記録媒体にたくさんのコンテンツが記録されたり、コンテンツが書き換えられたりした場合にも、記録媒体の記録内容を正確に管理することができる。
また、記録媒体の識別情報が、記録媒体の外観を撮影することにより取得されるので、記録媒体のラベルに記録内容を詳細に記入するといった面倒な作業をすることなく、記録媒体の記録内容を簡単に管理することができる。
【００２３】
さらに、本発明によれば、記録媒体の撮影画像を識別情報として、記録媒体の記録内容が管理されるので、記録媒体の記録内容を参照したいときには、記録媒体を装置に装填せずとも、その記録媒体を撮影機能付き携帯機器などで撮影することにより、記録されているコンテンツの概要データがその携帯機器で再生され、記録内容を簡単に確認することができる。
【００２４】
また、本発明によれば、収納媒体やコンテンツ（収納物）を撮影することにより、収納ケース等の収納媒体の識別情報およびコンテンツの識別情報を取得して、それらをセットにしてホームサーバで記憶するので、収納媒体の収納内容を簡単に管理することができ、また、その確認も、撮影画像が表示されることによって、簡単に行うことができる。
【発明を実施するための最良の形態】
【００２５】
本発明に係るコンテンツ表示方法およびシステムを添付の図面に示す好適実施例に基づいて以下に詳細に説明する。
【００２６】
まず、本発明の第１の実施形態について説明する。図１（Ａ）〜（Ｃ）は、本発明のコンテンツ表示方法を実施する本発明のコンテンツ表示システムの概略構成の第１の実施形態を示す概念図である。同図に示すコンテンツ表示システム１０は、ホームサーバ１２と、記録手段１４と、携帯機器１６とを有している。このコンテンツ表示システム１０は、ホームサーバ１２に記憶されたコンテンツ本体データＣを記録手段１４によって記録媒体Ｍに記録した際に、コンテンツ本体データＣを記録した記録媒体Ｍの撮影画像データを記録媒体Ｍの識別情報Ｄ２として、この識別情報Ｄ２とコンテンツ本体データＣの概要データＩとを関連付けてホームサーバ１２内に記憶して蓄積しておき、後になって、記録媒体Ｍに記録されている内容を確認したい場合には、記録媒体Ｍの識別情報Ｄ２を用いてホームサーバ１２内に蓄積されているデータの検索を行って、記録媒体Ｍに記録されたコンテンツ本体データＣの概要データＩを検出して表示するものである。
【００２７】
コンテンツ本体データ（以下、単に、コンテンツとする）Ｃは、動画または静止画の画像、音声や音楽、プログラム等のコンテンツを構成する、画像データ、音声データ、プログラムデータ等のデジタルファイルである。
【００２８】
コンテンツ概要データＩは、コンテンツＣの内容を端的に把握できる、コンテンツＣと同種のデータでそのサイズが大幅に小さいものであって、コンテンツＣから生成された、またはコンテンツＣの取得時に取得された抜粋データや圧縮データ等である。例えば、コンテンツ概要データＩは、コンテンツＣが動画データであれば、予め選択されたハイライトシーンやチャプタ毎の見出しシーン等の動画データまたはインデックス画像等の静止画データなどであり、コンテンツＣが静止画データであれば、サムネールなどの縮小画像データなどであり、コンテンツＣが音声データであれば、所定箇所の抜粋データ等の音声データなどであり、プログラムであれば、その部分データである。
【００２９】
ホームサーバ１２は、記憶部１８と、制御部２０とを有しており、また、図示しない外部とのデータ送受信のための接続部を介して記録装置１４と接続されている。また、ホームサーバ１２は、図示しない表示部（モニタ）や指示入力手段を備えている。さらに、ホームサーバ１２には、記録装置１４のほかにも、テレビ、プリンタ、デジタルカメラ、パソコンなど、各種の家電機器が接続されていてもよい。ホームサーバ１２は、記録装置１４の管理機能を有しており、比較的高性能のパソコン等によって構成することができる。なお、ホームサーバ１２は、記録装置１４以外にも接続されている機器がある場合には、それらの管理機能を有していてもよい。
【００３０】
記憶部１８には、ホームサーバ１２に接続された家電機器によって取得され、あるいは作成されたデジタル画像データや音声データ、プログラム等のデジタルファイルがコンテンツＣ（Ｃ1、Ｃ2、Ｃ3、・・・、Ｃn）として記憶されている。また、記憶部１８には、このコンテンツＣの概要データＩ（Ｉ1、Ｉ2、Ｉ3、・・・、Ｉn）も記憶されている。コンテンツＣとコンテンツ概要データＩとは別構成とされており、コンテンツＣが記憶部１８から消去された場合にも、コンテンツ概要データＩは、ユーザによって意図的に消去処理が行われるまでは記憶部１８に維持される。
【００３１】
制御部２０は、記憶部１８へのデータの書き込み、読み出し、編集、検索・検出を初めとするホームサーバ１２における各種のデータ処理を行い、また、外部機器とのデータの送受信の制御を行うものである。また、制御部２０は、ホームサーバ１２に接続された記録装置１４を制御する。
【００３２】
記録装置１４は、ホームサーバ１２の制御部２０からの制御によって、送られてきたコンテンツＣを記録媒体Ｍにそのまま、あるいは編集して記録するものである。記録媒体Ｍとしては、ＤＶＤ−Ｒ、ＣＤ−Ｒ、ＭＤ等の光学記録媒体や、磁気ディスク、磁気テープ等の磁気記録媒体が例示される。なお、記録装置１４は、ホームサーバ１２と一体型に構成されたハードディスク付きＤＶＤ記録装置などであってもよい。
【００３３】
携帯機器１６は、撮影機能、画像や音声の再生表示機能、ならびに送受信機能を有し、ホームサーバ１２とのデータの送受信が可能な携帯型の機器である。携帯機器１６は、記録媒体Ｍの外観を撮影して記録媒体Ｍの識別情報Ｄ２を取得し、この識別情報Ｄ２をホームサーバ１２に伝送する。また、携帯機器１６は、ホームサーバ１２から伝送されたデータを受け取って画像または音声（音楽）を再生表示する。携帯機器１６とホームサーバ１２との送受信は、有線で行ってもよいが、携帯機器１６の携帯性の点から無線で行うのが好ましい。無線通信の例としては、ＬＡＮ，BlueTooth（登録商標）、赤外線等によって直接通信するものや、携帯電話回線またはインターネット等を経由して通信するものが挙げられる。携帯機器１６としては、カメラ付き携帯電話や、通信機能付きデジタルカメラ等が例示される。
【００３４】
次に、コンテンツ表示システム１０の作用を説明する。
図１（Ａ）は、ホームサーバ１２に記憶されたコンテンツＣを記録手段１４によって記録媒体Ｍに記録する工程（記録時とする）を示している。
【００３５】
記録時には、記憶部１８に記憶されたコンテンツＣ1は、制御部２０によって読み出され、記録装置１４に送信されて、記録装置１４において記録媒体Ｍ1に記録される。このとき、制御部２０では、記録装置１４によって記録媒体Ｍ1へ記録したコンテンツＣ1の内容を示す記録処理情報Ｄ１1が生成される。生成された記録処理情報Ｄ１1は、記憶部１８に記憶されているコンテンツＣ1の概要データＩ1と対応付けて、記憶部１８に記憶される。
【００３６】
記録処理情報Ｄ１1は、例えば、記録装置１４による記録処理時刻や記録後の記録媒体Ｍ1の記録装置１４からの排出時刻等の、好ましくは秒単位の時刻情報と、コンテンツＣ1のコンテンツ名（複数のコンテンツＣを記録した場合には、その複数個のコンテンツＣのコンテンツ名）等のコンテンツの識別情報とから構成されるのが好ましい。あるいは、重複するコンテンツＣが無い場合などには、時刻情報およびコンテンツ名の一方を記録処理情報Ｄ１1としてもよい。
【００３７】
記録媒体Ｍ1へ記録されるために記憶部１８から読み出されたコンテンツＣ1は、記憶部１８から自動的に消去されるか、ユーザからの指示によって消去される。コンテンツＣ1が記憶部１８から消去された場合にも、その概要データＩ1および記録処理情報Ｄ１1は記憶部１８に維持される。
【００３８】
図１（Ｂ）は、コンテンツＣ1を記録した記録媒体Ｍ1の識別情報Ｄ２1を取得し、その識別情報Ｄ２1と、記録時に生成されて記憶部１８に記憶された記録処理情報Ｄ１1とをセットにして、ホームサーバ１２内に記憶して蓄積する工程（登録時とする）を示している。
【００３９】
記録装置１４によってコンテンツＣ1が記録され、排出された記録媒体Ｍ1は、携帯機器１６によってその外観が撮影される。携帯機器１６によって得られた記録媒体Ｍ1の撮影画像データは、記録媒体の識別情報Ｄ２1として、携帯機器１６からホームサーバ１２に伝送される。ホームサーバ１２では、記録媒体の識別情報Ｄ２1が制御部２０によって受信され、記憶部１８内に先に記憶された記録処理情報Ｄ１1とをセットにして記憶部１８に記憶（登録）される。
【００４０】
ここで、記録媒体Ｍ（Ｍ1、Ｍ2、Ｍ3、・・・、Ｍn）は、その外観の画像（撮影画像データ）で識別できることが必要であり、それぞれの色やラベル等が異なることが前提とされる。例えば、記録媒体Ｍにはラベルが付され、それぞれ異なる文字や、番号や、バーコード等のコードが印刷されているか、手書きのメッセージが書込まれている。このようなラベルの貼付またはラベルの記入は、記録媒体の識別情報Ｄ２として記録媒体Ｍが撮影される前までに行われればよい。例えば、記録媒体Ｍは、異なる符号等が付された状態で提供されたものであるのも好ましい。
【００４１】
このようにして、記憶部１８に記憶された複数のコンテンツＣ（Ｃ1、Ｃ2、Ｃ3、・・・、Ｃn）が記録媒体Ｍ（Ｍ1、Ｍ2、Ｍ3、・・・、Ｍn）に記録されるごとに、記録処理情報Ｄ１（Ｄ１1、Ｄ１2、Ｄ１3、・・・、Ｄ１n）および記録媒体の識別情報Ｄ２（Ｄ２1、Ｄ２2、Ｄ２3、・・・、Ｄ２n）が生成され、各コンテンツＣの概要データＩ（Ｉ1、Ｉ2、Ｉ3、・・・、Ｉn）に関連付けられて記憶部１８に記憶されることにより、複数のコンテンツＣの概要データＩと、コンテンツＣを記録した記録媒体Ｍの識別情報Ｄ２とが記憶部１８に蓄積される。
【００４２】
図１（Ｃ）は、記録媒体Ｍtに記録された内容（コンテンツＣ）を知りたいときに、記録媒体Ｍtの識別情報Ｄ２tによってホームサーバ１２内を検索し、記録媒体Ｍtに記録されたコンテンツＣtの概要データＩtを検出して表示する工程（参照時とする）を示している。
【００４３】
上述のようにして、複数の記録媒体ＭのそれぞれにコンテンツＣが記録され、複数のコンテンツＣの概要データＩとそれに関する情報とが記憶部１８に蓄積された後、記録媒体Ｍtに記録された内容（コンテンツＣt）を参照したい場合には、まず、参照したい記録媒体Ｍtの外観が、携帯機器１６によって撮影され、その撮影画像データが記録媒体の識別情報Ｄ２tとしてホームサーバ１２に伝送される。
【００４４】
ここで、参照時における記録媒体の識別情報Ｄ２tの伝送と、上述の登録時における識別情報Ｄ２の伝送とが区別されるように、携帯機器１６からのデータの伝送に先立って、携帯機器１６およびホームサーバ１２の少なくとも一方の設定で、参照モードと登録モードとが切り分けられる。
【００４５】
ホームサーバ１２では、制御部２０によって、伝送されてきた記録媒体の識別情報Ｄ２tと、記憶部１８に記憶されているＮ個の記録媒体の識別情報Ｄ２群（Ｄ２1〜Ｄ２n）の各データとが比較され、識別情報Ｄ２群の中から、識別情報Ｄ２tと画像特徴量が最も類似するもの、あるいは、コード／文字内容が合致するものが検出される。
【００４６】
識別情報Ｄ２tに対応する識別情報Ｄ２（Ｄ２t）が検出されると、その検出された識別情報Ｄ２tとセットになって記憶されている記録処理情報Ｄ１tに対応するコンテンツ概要データＩtが携帯機器１６に返送される。そして、携帯機器１６において、このコンテンツ概要データＩtが再生される。
【００４７】
コンテンツ概要データＩは、静止画、動画、テキスト、音声（音楽）およびこれらの組み合わせにより再生される。具体的には、コンテンツ概要データＩの種類および携帯機器１６の機能に応じて、携帯機器１６の表示部（図示しない）に画像が表示されるか、または携帯機器１６から音声が再生される。例えば、携帯機器１６には、インクデックス画像や、音声付きの短い動画等が表示され、あるいは曲の冒頭部分等が再生される。この再生された情報により、ユーザは、記録媒体Ｍtに記録された内容（コンテンツＣt）を確認することができる。
【００４８】
また、コンテンツＣが動画データである場合、そのコンテンツ概要データＩは、次のような階層構造（ツリー構造）を有するものとするのも好ましい。すなわち、携帯機器１６の表示部には、まず、記録されている複数の動画コンテンツＣのインデックスが表示される。このインデックス表示から、特定のコンテンツＣが指定されると、次に、そのコンテンツのチャプタ毎の代表コマがインデックス表示される。さらに、特定チャプタが指定されると、そのチャプタの簡略な動画（低画質、短時間の動画）が再生される。この動画は、音声付きであるのも好ましい。
【００４９】
あるいは、さらに、コンテンツ毎の記録時間や付属情報を再生表示するのも好ましい。付属情報としては、例えば、テレビ録画の場合には、番組のタイトルや放送チャンネル等、ユーザによって撮影された動画の場合には、撮影日時や撮影場所等が例示される。また、記録媒体Ｍの記録容量の残量を再生表示するのも好ましい。
【００５０】
コンテンツ概要データＩtは、記録媒体Ｍtの識別情報Ｄ２tを取得した携帯機器１６によって再生されるのが、ユーザの利便性の点で好ましいが、コンテンツ概要データＩtによる再生画像が多い場合などには、ホームサーバに管理された他のモニタへ表示させてもよい。また、コンテンツ概要データＩtに合わせて、記録処理情報Ｄ１tを文字化して表示してもよい。
【００５１】
なお、上記の実施形態においては、携帯機器１６によって撮影された記録媒体Ｍの撮影画像データをそのまま記録媒体の識別情報Ｄ２として記憶部１８に記憶しているが、記憶部１８には、識別情報Ｄ２として、記録媒体Ｍの撮影画像データの画像解析結果データを記憶する形態としてもよい。
【００５２】
例えば、登録時には、携帯機器１６から伝送された記録媒体Ｍの撮影画像データを、制御部２０によってコード／文字認識を行った後、その認識結果データを識別情報Ｄ２として記憶部１８に記憶しておき、参照時には、制御部２０において、携帯機器１６から伝送された記録媒体Ｍtの撮影画像データのコード／文字認識を行った後、そのコード／文字認識結果データと、記憶部１８に記憶されている識別情報Ｄ２とを比較して、コード／文字内容の合致するものを検出してもよい。
【００５３】
あるいは、携帯機器１６にコード／文字認識機能を備え、登録時および参照時ともに、携帯機器１６によって、記録媒体Ｍの撮影画像データが取得された後、コード／文字認識が行われて、得られたコード／文字認識結果データが識別情報Ｄ２としてホームサーバ１２に伝送される形態としてもよい。この場合は、登録時には、携帯機器１６から伝送された、コード／文字認識結果データである識別情報Ｄ２がそのまま記憶部１８に蓄積され、参照時には、制御部２０において、携帯機器１６から伝送されたコード／文字認識結果データである識別情報Ｄ２tと、記憶部１８に記憶されている識別情報Ｄ２とが比較されて、コード／文字内容の合致するものが検出される。
【００５４】
次に、本発明の第２の実施形態について説明する。図２（Ａ）および（Ｂ）は、本発明のコンテンツ表示システムの第２の実施形態の概略構成を示す概念図である。同図に示すコンテンツ表示システム１０ａは、図１のコンテンツ表示システム１０が有していないラベルプリンタ２２を有しているほかは、図１のコンテンツ表示システム１０と基本的に同様の構成を有しているので、同様の構成要素には同一の符号を付し、その説明を省略する。このコンテンツ表示システム１０ａが図１のコンテンツ表示システム１０と異なる点は、コンテンツＣを記録媒体Ｍに記録したときの記録処理情報Ｄ１を用いてラベルＬを作成し、このラベルＬが記録媒体Ｍに貼付されて撮影されることによって、この撮影画像データから、記録処理情報Ｄ１に対応するデータを得るようにした点である。
【００５５】
ラベルプリンタ２２は、ホームサーバ１２に接続されており、ホームサーバ１２の制御部２０からの制御によって、入力された情報を視覚情報としてラベルにプリントして出力するものである。
【００５６】
まず、図２（Ａ）を参照して、記録媒体Ｍの記録時および登録時における、コンテンツ表示システム１０ａの作用を説明する。
上述のコンテンツ表示システム１０と同様に、記録時に、制御部２０からの制御によって、記憶部１８に記憶されたコンテンツＣ1が記録装置１４に送信され、記録装置１４によって記録媒体Ｍ1に記録されるとともに、制御部２０では、コンテンツＣ1の内容を示す記録処理情報Ｄ１1が生成される。この記録処理情報Ｄ１1は、記憶部１８に記憶されているコンテンツＣ1の概要データＩ1と対応付けて、記憶部１８に記憶される。そして、このとき、本実施形態では、記録処理情報Ｄ１1は、ラベルプリンタ２２にも出力される。
【００５７】
ラベルプリンタ２２は、制御部２０から送信された記録処理情報Ｄ１1を基に、ラベルプリントを行って、ラベルＬ1を出力する。ラベルＬ1にプリントされる情報は、記録処理情報Ｄ１1そのものでなくともよく、記録処理情報Ｄ１1のデータの一部を使用した識別コードや、記録処理情報Ｄ１1を基に作成された識別番号等であってもよい。
【００５８】
記録装置１４から記録済みの記録媒体Ｍ1が排出されるとともに、対応するラベルＬ1がラベルプリンタ２２から出力される。そして、ラベルＬ1が記録媒体Ｍ1に貼付される。以上の工程により、記録媒体Ｍ1の記録および登録が完了する。
【００５９】
次に、図２（Ｂ）を参照して、記録媒体Ｍの記録内容の参照時における、コンテンツ表示システム１０ａの作用について説明する。
記録媒体Ｍtに記録された内容（コンテンツＣt）を参照したい場合には、まず、参照したい記録媒体Ｍtの外観の少なくともラベルＬ1を含む部分が、携帯機器１６によって撮影され、記録処理情報Ｄ１t’としてホームサーバ１２に伝送される。制御部２０では、携帯機器１６から伝送された記録処理情報Ｄ１t’から、ラベルＬ1にプリントされたコードや文字等の認識が行われ、得られたコード／文字認識結果データと、記憶部１８に記憶されている記録処理情報Ｄ１群とが比較されて、記録処理情報Ｄ１t’のコード／文字認識結果データに該当する記録処理情報Ｄ１（すなわちＤ１t）が検出される。
【００６０】
以下、上述のコンテンツ表示システム１０と同様にして、記録処理情報Ｄ１tに対応するコンテンツ概要データＩtが携帯機器１６に返送され、携帯機器１６において、コンテンツ概要データＩtが再生される。
【００６１】
なお、上述の例と同様に、携帯機器１６にコード／文字認識機能を備え、携帯機器１６からは、記録媒体Ｍの撮影画像データから得られたコード／文字認識結果データが、記録処理情報Ｄ１tとしてホームサーバ１２に伝送される形態としてもよい。
【００６２】
また、本実施形態においては、携帯機器１６からの識別情報Ｄ２の伝送は、参照時にしか行われないので、上述の例のように参照モードと登録モードとが切り分けることは不要である。
また、本実施形態によれば、記録媒体Ｍへの各コンテンツＣの記録に対応するラベルＬが出力され、記録媒体ＭにそのラベルＬが貼付されるので、複数の記録媒体Ｍとして同様の外観を有するものを用いてもよい。
【００６３】
次に、本発明の第３の実施形態について説明する。図３（Ａ）〜（Ｃ）は、本発明のコンテンツ表示システムの第３の実施形態の概略構成を示す概念図である。同図に示すコンテンツ表示システム１０ｂは、携帯機器１６ｂが、その内部に記録処理情報Ｄ１および識別情報Ｄ２を記憶する記憶部２４と、記憶部２４へのデータの入出力等を制御する制御部２６とを有しているほかは、図１のコンテンツ表示システム１０と基本的に同様の構成を有している。したがって、同様の構成要素には同一の符号を付し、その説明を省略する。
【００６４】
このコンテンツ表示システム１０ｂが、図１のコンテンツ表示システム１０と異なる点は、コンテンツ表示システム１０においては、識別情報Ｄ２が、ホームサーバ１２の記憶部１８に記憶されていたのを、コンテンツ表示システム１０ｂでは、携帯機器１６ｂの記憶部２４に記憶することにより、識別情報Ｄ２tと合致する識別情報Ｄ２の検索を、携帯機器１６ｂの内部で行うようにした点である。
【００６５】
携帯機器１６ｂは、図１のコンテンツ表示システム１０における携帯機器１６と同様の機能を有し、さらに、内部に記憶部２４および制御部２６を備えている。
【００６６】
図３（Ａ）は、記録媒体Ｍの記録時におけるコンテンツ表示システム１０ｂの作用を示す図である。
上述のコンテンツ表示システム１０と同様に、記録時に、制御部２０からの制御によって、記憶部１８に記憶されたコンテンツＣ1が記録装置１４に送信され、記録装置１４によって記録媒体Ｍ1に記録されるとともに、制御部２０では、コンテンツＣ1の内容を示す記録処理情報Ｄ１1が生成される。この記録処理情報Ｄ１1は、記憶部１８に記憶されているコンテンツＣ1の概要データＩ1と対応付けて、記憶部１８に記憶される。そして、このとき、本実施形態では、記録処理情報Ｄ１1は、携帯機器１６ｂにも伝送される。
携帯機器１６に伝送された記録処理情報Ｄ１1は、制御部２６によって記憶部２４に記憶される。
【００６７】
図３（Ｂ）は、記録媒体Ｍとその記録内容に関する情報の登録時におけるコンテンツ表示システム１０ｂの作用を示す図である。
記録装置１４によってコンテンツＣ1が記録され、排出された記録媒体Ｍ1は、登録モードに設定されている携帯機器１６ｂによってその外観が撮影され、撮影画像データが識別情報Ｄ２1として取得される。この識別情報Ｄ２1は、携帯機器１６ｂの内部の制御部２６に入力され、制御部２６によって、記憶部２４に先に記憶された記録処理情報Ｄ１1とセットにして記憶部２４に記憶（登録）される。
【００６８】
図３（Ａ）および（Ｂ）の記録・登録工程が繰り返されることにより、複数のコンテンツ概要データＩとコンテンツＣの記録処理情報Ｄ１が、ホームサーバ１２の記憶部１８に、また、コンテンツＣの記録処理情報Ｄ１とコンテンツＣを記録した記録媒体Ｍの識別情報Ｄ２とが、携帯機器１６の記憶部２４に蓄積される。
【００６９】
図３（Ｃ）は、記録媒体Ｍの記録内容の参照時におけるコンテンツ表示システム１０ｂの作用を示す図である。
記録媒体Ｍtに記録された内容（コンテンツＣt）を参照したい場合には、まず、携帯機器１６ｂが参照モードに切替えられ、この携帯機器１６ｂによって、参照したい記録媒体Ｍtの外観が撮影される。記録媒体Ｍtの撮影画像は、識別情報Ｄ２tとして携帯機器１６ｂの制御部２６に入力される。
【００７０】
制御部２６では、入力された識別情報Ｄ２tと、記憶部２４に記憶されている識別情報Ｄ２群（Ｄ２1〜Ｄ２n）の各データとが比較され、識別情報Ｄ２群の中から、識別情報Ｄ２tと画像特徴量が最も類似するもの、あるいは、コード／文字内容が合致するものが検出される。識別情報Ｄ２tに対応する識別情報Ｄ２（すなわちＤ２t）が検出されると、その検出された識別情報Ｄ２tとセットになって記憶されている記録処理情報Ｄ１tが、記憶部２４から読み出され、ホームサーバ１２に伝送される。
【００７１】
ホームサーバ１２では、制御部２０によって、伝送されてきた記録処理情報Ｄ１tが受信され、記憶部１８から記録処理情報Ｄ１tに合致する記録処理情報Ｄ１（すなわちＤ１t）が検出され、記録処理情報Ｄ１tが示すコンテンツ概要データＩtが読み出されて、携帯機器１６ｂに返送される。そして、携帯機器１６において、上述の各例と同様にして、このコンテンツ概要データＩtが再生されることにより、記録媒体Ｍtの記録内容が参照される。
【００７２】
なお、記録時に、携帯機器１６ｂの記憶部２４に記憶される記録処理情報Ｄ１に、ホームサーバ１２におけるアクセス先情報を含めておくのも好ましい。この場合、参照時に、制御部２０による記録処理情報Ｄ１tの検出を行うことなく、直接に、コンテンツ概要データＩtを取得することができる。
【００７３】
また、携帯機器１６にコード／文字認識機能を備え、記憶部２４には、識別情報Ｄ２として、記録媒体Ｍの撮影画像データから得られたコード／文字認識結果データを蓄積し、この識別情報Ｄ２によって、検索処理を行う形態としてもよい。
【００７４】
次に、本発明の第４の実施形態について説明する。図４（Ａ）〜（Ｃ）は、本発明のコンテンツ表示システムの第４の実施形態の概略構成を示す概念図である。同図に示すコンテンツ表示システム１０ｃは、図３のコンテンツ表示システム１０ｂと基本的に同様の構成を有している。すなわち、携帯機器１６として、内部に記憶部２４および制御部２６を備える携帯機器１６ｂが用いられる。また、記録装置１４には、表示パネル２８が設けられている。なお、図４のコンテンツ表示システム１０ｃにおいて、図３のコンテンツ表示システム１０ｂと同様の構成要素には同一の符号を付し、その説明を省略する。
【００７５】
コンテンツ表示システム１０ｃが、図３のコンテンツ表示システム１０ｂと異なる点は、コンテンツＣを記録媒体Ｍに記録したときの記録処理情報Ｄ１を用いて、記録媒体Ｍの識別情報となる情報を記録装置１４の表示パネル２８に表示し、この表示パネル２８を携帯機器１６ｂによって撮影したデータを記録処理情報Ｄ１’として、記録媒体Ｍとコンテンツ概要データＩとを関連付ける情報としている点である。
【００７６】
図４（Ａ）に示すように、記録媒体Ｍの記録時には、制御部２０からの制御によって、記憶部１８に記憶されたコンテンツＣ1が記録装置１４に送信され、記録装置１４によって記録媒体Ｍ1に記録される。また、制御部２０では、コンテンツＣ1の内容を示す記録処理情報Ｄ１1が生成される。この記録処理情報Ｄ１1は、記憶部１８に記憶されているコンテンツＣ1の概要データＩ1と対応付けて、記憶部１８に記憶されるとともに、記録装置１４にも出力される。
【００７７】
記録装置１４では、制御部２０から送られた記録処理情報Ｄ１1を基に、このデータの一部または全部を使用した識別コードや、記録処理情報Ｄ１1を基に作成された識別番号、文字等が、表示パネル２８に表示される。
【００７８】
次に、図４（Ｂ）に示すように、登録モードに設定された携帯機器１６ｂによって、記録装置１４から排出された記録済みの記録媒体Ｍ1の外観が撮影されることにより、記録媒体Ｍ1の識別情報Ｄ２1が取得される。それとともに、携帯機器１６ｂによって、記録処理情報Ｄ１1に基づく情報が表示された表示パネル２８が撮影されて、この撮影画像データが、記録処理情報Ｄ１1’として取得される。携帯機器１６ｂでは、上記識別情報Ｄ２1と記録処理情報Ｄ１1’とがセットで、記憶部２４に記憶（登録）される。
【００７９】
記録媒体Ｍtの記録内容を確認したい場合には、図４（Ｃ）に示すように、参照モードに切替えられた携帯機器１６ｂによって、記録媒体Ｍtの外観が撮影され、得られた識別情報Ｄ２tが、携帯機器１６ｂの制御部２６に入力される。制御部２６は、この識別情報Ｄ２tと、記憶部２４に記憶されている識別情報Ｄ２群の各識別情報Ｄ２とを照合し、情報が合致する識別情報Ｄ２（すなわちＤ２t）を検出する。次に、制御部２６は、記憶部２４から検出された識別情報Ｄ２tとセットである記録処理情報Ｄ１t’を読み出し、ホームサーバ１２へ伝送する。
【００８０】
ホームサーバ１２では、制御部２０によって、記録処理情報Ｄ１t’が受信される。記録処理情報Ｄ１t’は、記録処理情報Ｄ１1に基づいて表示パネル２８に表示された情報の撮影画像データであるので、制御部２０によって、文字／コード認識が行われることにより、記録処理情報Ｄ１1（その一部または全部）に対応するデータが得られる。制御部２０は、記録処理情報Ｄ１t’の文字／コード認識結果データによって、記憶部１８に記憶されている記録処理情報Ｄ１群から該当する記録処理情報Ｄ１tを識別し、それに対応するコンテンツ概要データＩtを携帯機器１６ｂへ返送する。そして、携帯機器１６において、上述の各例と同様にして、このコンテンツ概要データＩtが再生されることにより、記録媒体Ｍtの記録内容が参照される。
【００８１】
本実施形態において、携帯機器１６ｂに文字／コード認識機能を備える場合には、携帯機器１６ｂによって記録装置１４の表示パネル２８を撮影して得られた記録処理情報Ｄ１’から、文字／コード認識によって得られたデータを記録処理情報Ｄ１として、この記録処理情報Ｄ１と、識別情報Ｄ２とをセットにして記憶部２４に記憶すればよい。
【００８２】
次に、本発明の第５の実施形態について説明する。図５（Ａ）〜（Ｄ）は、本発明のコンテンツ表示システムの第５の実施形態の概略構成を示す概念図である。同図に示すコンテンツ表示システム３０は、デジタルカメラ３２として構成されており、このデジタルカメラ３２は、記録媒体Ｍが装着される記録媒体装着部３４と、内蔵メモリ３６と、制御部３８と、表示部４０とを有している。コンテンツ表示システム３０は、デジタルカメラ３２によって動画または静止画を撮影し、撮影した画像データＧ（コンテンツＣに相当）を記録媒体装着部３４に装着された記録媒体Ｍに記録するとともに、その概要データＪ（概要データＩに相当）を内蔵メモリ３６に記憶しておき、さらに、記録媒体Ｍの識別情報Ｄ２と概要データＪとを関連付けて内蔵メモリ３６に記憶しておくことにより、後になって、記録媒体Ｍに記録されている撮影画像データＧを確認したいときに、内蔵メモリ３６から対応する概要データＪを検出して、表示部４０に表示するものである。
【００８３】
コンテンツ表示システム３０は、図１のコンテンツ表示システム１０におけるホームサーバ１２、記録装置１４、および携帯機器１６に相当するものが一体となった構成に相当するとも言えるものである。すなわち、コンテンツ表示システム３０の内蔵メモリ３６および制御部３８は、コンテンツ表示システム１０におけるホームサーバ１２の記憶部１８および制御部２０に相当し、コンテンツ表示システム３０の記録媒体装着部３４およびデジタルカメラ３２は、それぞれ、コンテンツ表示システム１０の記録装置１４および携帯機器１６に相当する。
【００８４】
記録媒体装着部３４は、記録媒体Ｍが装着され、制御部３８による記録媒体Ｍへの撮影画像データＧの書き込み等が行われる箇所である。内蔵メモリ３６は、デジタルカメラ３２の電源がＯＦＦにされた場合にもデータを保存するものである。また、制御部３８は、記録媒体装着部３４および内蔵メモリ３６へのデータの書き込みや読み出し、表示部４０への画像の表示、デジタルカメラ３２の撮影動作等、デジタルカメラ３２の全体を制御する。また、デジタルカメラ３２には、音声の録音再生機能が備えられていてもよい。
【００８５】
デジタルカメラ３２においては、記録時には、図５（Ａ）に示すように、撮影された撮影画像データＧ1が、制御部３８によって、公知の手法で、記録媒体装着部３４に装着されている記録媒体Ｍ1に保存される。一方、この際に、制御部３８によって撮影画像データＧ１の概要データＪ1が作成され、内蔵メモリ３６に保存される。ここで、概要データＪ1は、撮影画像データＧ1のサムネール画像、動画の１コマの静止画像、短時間の音声データ等の小サイズのデータである。
【００８６】
図５（Ｂ）に示すように、デジタルカメラ３２による撮影および記録媒体Ｍ1への撮影画像データＧ1（Ｇ11、Ｇ12、Ｇ13、・・・、Ｇ1n）の保存が終了し、記録媒体Ｍ1の取り出しが指示されると、制御部３８において、記録処理情報Ｄ１1が生成され、この記録処理情報Ｄ１1が、先に内蔵メモリ３６に保存されている概要データＪ1（Ｊ11、Ｊ12、Ｊ13、・・・、Ｊ1n）と関連付けられて、内蔵メモリ３６に保存される。
【００８７】
図５（Ｃ）に示すように、デジタルカメラ３２から取り出された記録媒体Ｍ1は、取り出された直後に、その外観をデジタルカメラ３２によって撮影される。記録媒体Ｍ1の撮影画像データは、識別情報Ｄ２1とされ、記録処理情報Ｄ１1とセットで内蔵メモリ３６に記録（登録）される。
このように、図５（Ａ）〜（Ｃ）の記録媒体Ｍの記録、登録工程を繰り返すことにより、内蔵メモリ３６には、複数の記録媒体Ｍに対応する識別情報Ｄ２と、各記録媒体Ｍに記録された撮影画像データＧの概要データＪが蓄積される。
【００８８】
後日、記録媒体Ｍtに記録されている撮影画像データＧを確認したい場合（参照時）には、図５（Ｄ）に示すように、まず、記録媒体Ｍtをデジタルカメラ３２によって撮影し、識別情報Ｄ２tを取得する。制御部３８は、この識別情報Ｄ２tと、内蔵メモリ３６内の識別情報Ｄ２群とを照合し、記録媒体Ｍtを識別して、対応する概要データＪtを表示部４０に再生表示する。概要データＪtが音声データを含んでいる場合には、図示しない音声再生部で再生される。
【００８９】
以上のように、本発明の第１〜第５の実施形態によれば、記録媒体Ｍの撮影画像を識別情報Ｄ２とし、識別情報Ｄ２と記録媒体Ｍに記録されたコンテンツＣ（撮影画像データＧ）のコンテンツ概要データＩ（概要データＪ）とを関連付けてホームサーバ１２（デジタルカメラ３２）に記憶するので、記録媒体Ｍを撮影することで、その記録媒体Ｍに記録されたコンテンツＣ（撮影画像データＧ）を簡単に確認することができる。
【００９０】
また、ホームサーバ（またはデジタルカメラ）において、記録媒体にコンテンツ（または撮影画像データ）を記録した時の記録処理情報によって、記録したコンテンツを管理し、コンテンツが記録された記録媒体の識別情報とセットで記憶するので、記録媒体の記録内容が更新された場合にも、記録内容を常に正確に管理することができる。
【００９１】
さらに、コンテンツの表示をコンテンツのコンテンツ概要データを画像や音声で再生することにより行うので、記録媒体のコンテンツの確認を的確に行うことができる。
【００９２】
次に、上述のコンテンツ表示システム１０〜１０ｃおよび３０における、コンテンツ概要データＩ（概要データＪ）からの記録媒体Ｍの探索について説明する。
コンテンツ表示システム１０〜１０ｃおよび３０は、上述したように、携帯機器１６（１６ｂ）またはデジタルカメラ３２によって記録媒体Ｍtを撮影することで、記録媒体Ｍtに記録された内容を参照できるものであるが、このコンテンツ表示システムによれば、逆に、特定のコンテンツＣ（撮影画像データＧ）が、複数の記録媒体Ｍのうち、どの記録媒体Ｍに記録されているかを探索することもできる。
【００９３】
図６は、第１の実施形態である、コンテンツ表示システム１０（図１参照）による記録媒体Ｍの探索時のシステム構成の概略を示す図である。図６には、コンテンツ表示システム１０として、図１に示した各構成要素のほかに、ホームサーバ１２に接続され、ホームサーバ１２によって管理されるモニタ４２およびホームサーバ１２への指示入力を行う指示入力手段４４が示されている。また、携帯機器１６が備える制御部２６および表示部４６も図示されている。
【００９４】
ホームサーバ１２の記憶部１８には、既に、複数のコンテンツ概要データＩ、記録処理情報Ｄ１および記録媒体Ｍの識別情報Ｄ２のデータが蓄積されているものとする。
記録媒体Ｍの探索時には、ユーザによる指示入力手段４４から、コンテンツ概要の表示を指示する指示入力がされることにより、ホームサーバ１２のモニタ４２に、記憶部１８に記憶されているコンテンツ概要データＩ群が一覧表示される。次に、指示入力手段４４によって特定のコンテンツＣtの概要データＩｔが指定されると、制御部２０は、そのコンテンツ概要データＩtと対応する記録処理情報Ｄ１tを記憶部１８から検出し、記録処理情報Ｄ１tとセットにされている識別情報Ｄ２tを読み出して、携帯機器１６に伝送する。
【００９５】
一方、携帯機器１６によって、探索対象の複数（図示例では３つとする）の記録媒体Ｍ1、Ｍ2、Ｍtの外観が、順次または一括して撮影される。撮影された記録媒体Ｍ1、Ｍ2、Ｍtの画像は、表示部４６に順次または一括して表示される。
【００９６】
携帯機器１６では、制御部２６において、撮影によって得た記録媒体Ｍ1、Ｍ2、Ｍtの画像データと、ホームサーバ１２から伝送された記録媒体の識別情報Ｄ２tとが画像認識（パターンマッチング）により比較され、所定以上の類似度を持つ記録媒体Ｍを特定することにより、識別情報Ｄ２tと合致する記録媒体Ｍtが検出される。
【００９７】
携帯機器１６の表示部４６には、撮影された記録媒体Ｍ1、Ｍ2、Ｍtの撮影シーン中に、目的とする記録媒体Ｍtと合致することを示すマークを合成表示する。例えば、表示部４６に、記録媒体Ｍ1、Ｍ2、Ｍtの各撮影画像が順次表示される場合には、目的の記録媒体Ｍｔが表示されたときに、合致を示すマークが表示されるか音声等で通知されればよい。また、図７（Ａ）に示すように、表示部４６に表示された複数の記録媒体Ｍ1、Ｍ2、Ｍtのうち、合致するものにマークが表示されてもよい。また、図７（Ｂ）に示すように、棚に並べてある複数の記録媒体Ｍが一括して撮影された場合などには、その画像中の合致する記録媒体Ｍtに矢印や囲みのマーク等が表示されればよい。
【００９８】
この実施形態では、携帯機器１６の制御部２６で、記録媒体Ｍの撮影画像データと、ホームサーバ１２から伝送された記録媒体の識別情報Ｄ２tとの画像認識を行っているが、この画像認識をホームサーバ１２の制御部２０で行うようにしてもよい。例えば、携帯機器１６によって撮影された探索対象である複数の記録媒体Ｍの画像データ（識別情報Ｄ２）をホームサーバ１２に伝送し、ホームサーバ１２の制御部２０において、携帯機器１６からの識別情報Ｄ２と、先に検出された識別情報Ｄ２tとを画像認識により比較して、合致する識別情報Ｄ２を携帯機器１６に返送して、携帯機器１６において表示部に合致マークを示すようにすればよい。また、制御部２０において、合致する識別情報Ｄ２に合致マークを合成した上で、携帯機器１６に返送してもよい。
【００９９】
あるいは、図８に示すように、携帯機器１６によって撮影された記録媒体Ｍの画像データを識別情報Ｄ２と、各識別情報Ｄ２が携帯機器１６の表示部（４６）で表示される位置の情報Ｐと組合せてホームサーバ１２に伝送し、ホームサーバ１２の制御部２０における検出結果から、合致する識別情報Ｄ２の表示位置の情報Ｐを携帯機器１６に返送するようにしてもよい。
【０１００】
また、あるいは、図９に示すように、モニタ４２に一覧表示されたコンテンツ概要データＩ群から、特定のコンテンツ概要データＩtが指定された後、制御部２０において検出されたコンテンツ概要データＩtと対応する記録媒体の識別情報Ｄ２tによる画像、すなわち記録媒体Ｍtの撮影画像を、モニタ４２または携帯機器１６の表示部４６に表示して、ユーザが視覚により検索できるようにしてもよい。
ホームサーバ１２のモニタ４２または携帯機器１６の表示部４６に、記録媒体の撮影画像（識別情報Ｄ２）別に、コンテンツ概要データＩを一覧表示してもよいのはもちろんである。
【０１０１】
次に、コンテンツ表示システム１０ａ（図２参照）における記録媒体Ｍの検索時について説明する。
コンテンツ表示システム１０ａにおいては、ホームサーバ１２の記憶部１８には、コンテンツ概要データＩおよび記録処理情報Ｄ１のデータが蓄積されている。また、携帯機器１６によって記録媒体ＭのラベルＬが撮影されることにより、記録媒体Ｍの記録処理情報Ｄ１’から記録処理情報Ｄ１が取得される。
【０１０２】
したがって、上記の例のように、特定のコンテンツＣｔのコンテンツ概要データＩtが指定されると、ホームサーバ１２の制御部２０では、このコンテンツ概要データＩtに対応する記録処理情報Ｄ１tが記憶部１８から検出され、一方、携帯機器１６によって、記録媒体Ｍ1、Ｍ2、Ｍt等のラベルＬ1、Ｌ2、Ｌt等が撮影されることにより記録処理情報Ｄ１1’、Ｄ１2’、Ｄ１t’等が得られて、記録処理情報Ｄ１1、Ｄ１2、Ｄ１t等が取得される。そして、ホームサーバ１２の制御部２０または携帯機器１６の制御部２６において、画像認識（パターンマッチング）が行われることにより、記録処理情報Ｄ１tと合致するラベルＬtを有する記録媒体Ｍtが検出される。
【０１０３】
検索結果は、上記の例と同様にして、携帯機器１６の表示部４６またはホームサーバ１２のモニタ４２に表示される。
【０１０４】
次に、第３または第４の実施形態であるコンテンツ表示システム１０ｂ（図３参照）または１０ｃ（図４参照）における記録媒体Ｍの検索について説明する。
コンテンツ表示システム１０ｂおよび１０ｃにおいては、ホームサーバ１２の記憶部１８にコンテンツ概要データＩおよび記録処理情報Ｄ１のデータが蓄積されており、携帯機器１６ｂの記憶部２４に、記録処理情報Ｄ１および識別情報Ｄ２のデータが蓄積されている。
【０１０５】
したがって、図１０に示すように、記録媒体Ｍの検索時には、ホームサーバ１２のモニタ４２に表示されたコンテンツ概要データＩ群の中から特定のコンテンツ概要データＩtが指示入力手段４４によって指定されると、ホームサーバ１２において、コンテンツ概要データＩtに対応する記録処理情報Ｄ１tが検出され、検出された記録処理情報Ｄ１tが携帯機器１６ｂに伝送される。携帯機器１６ｂでは、制御部２６によって、ホームサーバ１２から伝送された記録処理情報Ｄ１tに合致する記録処理情報Ｄ１（すなわちＤ１t）が記憶部２４から検出され、その記録処理情報Ｄ１tに対応する識別情報Ｄ２tが読み出される。
【０１０６】
また、携帯機器１６ｂでは、検索対象の複数（図示例では３つとする）の記録媒体Ｍ1、Ｍ2、Ｍtの外観が、順次または一括して撮影される。そして、制御部２６において、撮影された記録媒体Ｍの画像と、先に検出され読み出された識別情報Ｄ２tとが画像認識により比較され、所定以上の類似度を持つ記録媒体Ｍが特定される。
【０１０７】
検索結果は、上記の例と同様にして、携帯機器１６の表示部４６またはホームサーバ１２のモニタ４２に表示される。
【０１０８】
次に、コンテンツ表示システム３０（図５参照）における記録媒体Ｍの検索時について説明する。コンテンツ表示システム３０においては、デジタルカメラ３２の内蔵メモリ３６に記憶されている概要データＪ群が表示部４０に表示され、その中から特定の概要データＪtがユーザ等により指定されると、制御部３８によって、指定された概要データＪtに対応する記録処理情報Ｄ１tが検出され、記録処理情報Ｄ１tとセットの記録媒体の識別情報Ｄ２tが読み出される。
【０１０９】
また、デジタルカメラ３２によって、検索対象の複数の記録媒体Ｍ1、Ｍ2、Ｍt等が撮影される。
そして、制御部３８において、撮影により得られた記録媒体Ｍ1、Ｍ2、Ｍt等の撮影画像データと、内蔵メモリ３６から読み出された記録媒体の識別情報Ｄ２tとが画像認識により比較され、識別情報Ｄ２tに合致する記録媒体Ｍtが特定されて、表示部４０に表示された記録媒体Ｍtの画像に合致を示すマークが合成表示される。
【０１１０】
以上のように、本発明の第１〜第５の実施形態によれば、コンテンツＣ（撮影画像データＧ）の概要データＩ（Ｊ）から、そのコンテンツＣ（撮影画像データＧ）が記録された記録媒体Ｍを探索することも容易に行うことができる。
【０１１１】
次に、本発明の第６の実施形態について説明する。図１１（Ａ）〜（Ｃ）は、本発明の第６の実施形態の概略構成を示す概念図である。
上述の第１〜第４の実施形態は、ホームサーバ１２に記憶されたコンテンツ本体データＣを記録装置１４によって記録媒体Ｍに記録し、ホームサーバ１２において、または携帯機器１６において、記録媒体Ｍとコンテンツ概要データＩとを対応付ける情報を記憶しておくものであった。これに対し本実施形態は、記録装置１４に替えて、紙などの記録媒体に可視画像を記録してプリントＡを作成するプリンタ５４を備え、１以上のコンテンツＣを記録していた記録媒体Ｍに替えて、１以上のプリントＡを収納する収納ファイルＢとし、収納ファイルＢと収納ファイルＢに収納されたプリントＡとを対応付ける情報を記憶しておくことにより、収納ファイルＢから、その中に収納されているプリントＡを参照できるようにしたものである。
【０１１２】
図１１のコンテンツ表示システム５０は、プリンタサーバ５２と、プリンタサーバ５２に接続されたプリンタ５４と、携帯機器５６とを有している。また、プリンタサーバ５２は、記憶部５８および制御部６０を有しており、記憶部５８には、図示しない画像データ入力手段から入力された画像データＤ（Ａ）が記憶されている。この画像データＤ（Ａ）は、プリンタ５４に出力された場合にも、その複製データが記憶部５８に維持される。記憶部５８に維持される画像データＤ（Ａ）は、プリント用の画像データＤ（Ａ）の概要データ、すなわちインデックス画像、サムネール画像などの、プリンタ５４に出力されるプリント用のデータよりも小さいサイズのものとするのが好ましい。あるいは、記憶部５８には、はじめから、プリント用の画像データＤ（Ａ）と、その概要データに相当する小サイズの画像データとが、別々に記憶されているのも好ましい。
【０１１３】
制御部６０は、コンテンツ表示システム１０におけるホームサーバ１２の制御部２０に対応するもので、記憶部５８へのデータの書き込みや読み出し等の処理、およびプリンタサーバ５２に接続されたプリンタ５４の制御等を行う。
また、携帯機器５６は、コンテンツ表示システム１０おける携帯機器１６と同様の構成を有している。
【０１１４】
プリントＡ1、Ａ2、Ａ3の出力時（記録時）には、図１１（Ａ）に示すように、記憶部５８に記憶された画像データＤ（Ａ1）、Ｄ（Ａ2）、Ｄ（Ａ3）が制御部６０によって読み出され、プリンタ５４へ送信されて、プリンタ５４によってプリントＡ1、Ａ2、Ａ3が作成される。また、制御部６０では、プリントＡ1、Ａ2、Ａ3を記録したことを示す記録処理情報Ｄ１1を生成し、プリントＡの画像データＤ（Ａ1）、Ｄ（Ａ2）、Ｄ（Ａ3）（またはその概要データ）に対応付けて記憶部５８に記憶する。
【０１１５】
プリンタ５４から出力されたプリントＡ1、Ａ2、Ａ3は、ユーザによって、１枚または複数枚まとめて収納ファイルＢ1に収納される。
ここで、収納ファイルＢは、袋やアルバム、収納ケースなど、プリントＡを収納するものであればその形態はどのようなものでもよい。ただし、上記各実施形態の記録媒体Ｍと同様に、各収納ファイルＢは、外観で識別できることが前提とされる。
【０１１６】
図１１（Ｂ）に示すように、プリンタ５４から出力されたプリントＡ1、Ａ2、Ａ3が収納ファイルＢ1に収納されると、その直後に、携帯機器５６によって収納ファイルＢ1の外観が撮影される。収納ファイルＢ1の画像データは、収納ファイルＢ1の識別情報Ｄ２1として、記憶部５８からプリンタサーバ５２へ伝送され、制御部６０によって、記憶部５８に記憶されている記録処理情報Ｄ１1とセットにして記憶部５８に記憶（登録）される。
このようにして、プリンタサーバ５２の記憶部５８には、複数のプリント画像データＤ（Ａ）と、各プリントＡが収納された複数の収納ファイルＢの識別情報Ｄ２が蓄積される。
【０１１７】
後日、収納ファイルＢtに収納されている内容（プリントＡ）を確認したい場合（参照時）には、図１１（Ｃ）に示すように、携帯機器５６によって、収納ファイルＢtの外観が撮影され、収納ファイルＢtの識別情報Ｄ２tがプリンタサーバ５２へ送信される。識別情報Ｄ２tを受信したプリンタサーバ５２は、制御部６０によって、記憶部５８内の識別情報Ｄ２群から、識別情報Ｄ２tに合致するものを検出し、その識別情報Ｄ２tとセットの記録処理情報Ｄ１tを検出して、記録処理情報Ｄ１tに対応付けられているすべてのＤ（Ａ）を携帯機器５６に返送する。そして、携帯機器５６において、収納ファイルＢtに収納されたプリントＡの画像が順次または複数同時に再生される。
【０１１８】
なお、参照時の携帯機器５６による収納ファイルＢの識別情報Ｄ２の伝送と、登録時の識別情報Ｄ２の伝送とが区別されるように、携帯機器５６からのデータ伝送の前に、携帯機器５６またはプリンタサーバ５２において、参照モードと登録モードとが切り分けられる。また、登録時および参照時における、携帯機器５６とプリンタサーバ５２との間のデータの通信は、プリンタ５４を経由して行ってもよい。
【０１１９】
図１２は、コンテンツ表示システム５０において、新たなプリントＡ4がプリンタ５４から出力され、既にプリントＡ1〜Ａ3が収納されている収納ファイルＢに新たなプリントＡ４が追加される場合の、収納ファイルＢの登録方法を示している。
図１２（Ａ）に示すように、プリントＡ4が出力されると、記録処理情報Ｄ１2が生成されて記憶部５８に記憶される。また、プリンタ５４から出力されたプリントＡ4が、既にプリントＡ1〜Ａ3が収納されている収納ファイルＢ1に収納されると、図１２（Ｂ）に示すように、携帯機器５６によって収納ファイルＢ1が撮影されて、その識別情報Ｄ２１がプリンタサーバ５２に伝送される。
【０１２０】
プリンタサーバ５２の制御部６０は、収納ファイルＢ1の識別情報Ｄ２1を受信し、この識別情報Ｄ２1が既に記憶部５８に記憶されている識別情報Ｄ２1と合致することを認識すると、画像データＤ（Ａ4）の記録処理情報Ｄ１2と画像データＤ（Ａ1）〜Ｄ（Ａ3）の記録処理情報Ｄ１1との両方が、識別情報Ｄ２1とセットとされて、記憶部５８に記憶される。これにより、収納ファイルＢ１の識別情報Ｄ２1とプリントＡ１〜Ａ４の画像データが関連付けられて記憶される。
【０１２１】
図１３は、コンテンツ表示システム５０において、収納ファイルＢに収納されている
プリントＡ1〜Ａ4のうちの１つが抜き出される場合の、収納ファイルＢの登録方法を示している。収納ファイルＢ1からプリントＡ1〜Ａ4のうちの１つを抜き出す場合には、まず、携帯機器５６またはプリンタサーバ５２において、削除モードに設定される。そして、図１３（Ａ）に示すように、まず、携帯機器５６によって収納ファイルＢ1が撮影され、収納ファイルＢ1の識別情報Ｄ２1がプリンタサーバ５２に伝送される。プリンタサーバ５２の制御部６０では、削除モードで収納ファイルＢ1の識別情報Ｄ２1を受信することにより、対象とする収納ファイルが収納ファイルＢ1であることを認識する。
【０１２２】
次に、図１３（Ｂ）に示すように、収納ファイルＢ1から抜き出されたプリントＡ4が携帯機器５６によって撮影され、その画像データＤ（Ａ4）’がプリンタサーバ５２に伝送される。プリンタサーバ５２の制御部６０は、先に認識した削除対象である収納ファイルＢ1の識別情報Ｄ２1と関連付けられて記憶されている画像データＤ（Ａ）群から、画像データＤ（Ａ4）’と画像特徴量が最も類似する画像データＤ（Ａ4）を検出し、この画像データＤ（Ａ4）を、識別情報Ｄ２1の関連付けられた画像データＤ（Ａ）群から削除する。これにより、収納ファイルＢ1の識別情報Ｄ２１と、プリントＡ4のデータを除いたプリントＡ1〜Ａ3の画像データが関連付けられて記憶される。
【０１２３】
なお、収納ファイルＢからプリントＡを抜き出す場合の収納ファイルＢの登録方法において、削除モードへの切り替えを行わず、以下のような方法によって行ってもよい。すなわち、例えば、プリントＡの記録が行われていないときに、携帯機器５６によって、収納ファイルＢの撮影画像データである識別情報Ｄ２とプリントＡの撮影画像データとが、連続してプリンタサーバ５２に伝送されることで、プリンタサーバ５２において、削除モードであることを自動的に判断し、収納ファイルＢの識別情報Ｄ２と関連付けられたデータ群からプリントＡの画像データを削除するようにしてもよい。また、このとき、ホームサーバ１２からは、参照時と同様に、識別情報Ｄ２に関連付けられた画像データＤ（Ａ）群が携帯機器５６に返送されていてもよい。
【０１２４】
以上のように、本発明の第６の実施形態によれば、収納ファイルを撮影することで、その収納ファイルに収納されたプリント（紙媒体）の内容を確認できる。また、同一の収納ファイルへのプリントの追加や取り出しにも簡単な操作で対応できるので、ファイル管理を簡単かつ正確に行うことができる。
【０１２５】
このようなコンテンツ表示システム５０においても、上述のコンテンツ表示システム１０等と同様に、コンテンツであるプリントＡから、そのプリントＡが収納された収納ファイルＢを探索することもできる。プリントＡからの収納ファイルＢの探索および探索結果の表示は、上述の図６〜図９に示して説明した方法と同様の方法により行うことができる。すなわち、プリンタサーバ５２の記憶部５８に記憶されている複数の画像データＤ（Ａ）による複数の画像Ａ’を、携帯機器５６またはホームサーバ５２に接続されたモニタ（図示しない）に表示し、ユーザによって画像Ａt’が指定されることによって、その画像Ａt’の画像データＤ（Ａt）を基にホームサーバ５２において検索を行い、検索結果として、該当する収納ファイルＢtの撮影画像を携帯機器５６またはホームサーバ５２のモニタに、他の収納ファイルＢと識別できるように表示するようにすればよい。
【０１２６】
また、コンテンツＣがプリントＡである本実施形態においては、携帯機器５６によってプリントＡtを撮影することで、そのプリントＡtが収納されるべき収納ファイルＢtを探索することもできる。このような例を、図１４に示す。
【０１２７】
図１４の例では、まず、携帯機器５６によってプリントＡtに記録された画像が撮影される。この撮影データＤ（Ａt）’は、プリンタサーバ５２に伝送される。プリンタサーバ５２では、制御部６０によって、記憶部５８に記憶されている画像データＤ（Ａ）群の中から、撮影データＤ（Ａt）’に合致する画像データＤ（Ａt）が検出される。そして、画像データＤ（Ａt）が関連付けられている収納ファイルの識別情報Ｄ２ｔを、携帯機器５６に返送する。
【０１２８】
携帯機器５６においては、プリンタサーバ５２から送られた収納ファイルの識別情報Ｄ２ｔを、その表示部に単に表示してもよいし、探索対象となる複数の収納ファイルＢを携帯機器５６によって撮影し、携帯機器５６またはプリンタサーバ５２において画像認識（パターンマッチング）を行うことにより、携帯機器５６によって撮影された複数の収納ファイルＢのうち、目的の収納ファイルＢｔに合致するものを検出して、携帯機器５６の表示部またはプリンタサーバ５２のモニタに、目的の収納ファイルＢtが区別されるように表示してもよい。
【０１２９】
次に、本発明の第７の実施形態について説明する。図１５（Ａ）〜（Ｃ）は、本発明の第７の実施形態の概略構成を示す概念図である。同図に示すコンテンツ表示システム８０は、上述の第１の実施形態（図１参照）のホームサーバ１２に相当するホームサーバ８２と、携帯機器１６に相当する携帯機器８６とを有している。このコンテンツ表示システム８０は、コンテンツＣとして、物品Ｅの撮影画像データを携帯機器８６によって取得するとともに、物品Ｅが収納される収納ケースＦ（図１の例の記録媒体Ｍに相当）の撮影画像データを携帯機器８６によって取得して、両データを関連付けてホームサーバ８２に記憶しておくことにより、後日、収納ケースＦに収納された物品Ｅの内容を参照できるようにしたものである。
【０１３０】
物品Ｅおよび収納ケースＦとしては、物品Ｅとして衣類、収納ケースＦとしてタンスや衣装箱等、あるいは、物品Ｅとして食品、収納ケースＦとして冷蔵庫等が例示される。また、上記各実施形態の記録媒体Ｍまたは収納ファイルＢと同様に、収納ケースＦは、外観で識別できることが前提とされる。
【０１３１】
コンテンツ表示システム８０では、物品Ｅ群を撮影する物品モードと、収納ケースＦを撮影する収納モードが設定されており、物品Ｅまたは収納ケースＦを撮影する際には、携帯機器８６またはホームサーバ８２によって、物品モードまたは収納モードの切り替えが行われる。
【０１３２】
コンテンツ表示システム８０において、物品Ｅおよび収納ケースＦの記録・登録時には、図１５（Ａ）に示すように、携帯機器８６によって物品Ｅ1、Ｅ2、Ｅ3等が撮影されて撮影画像データＤ（Ｅ1）〜Ｄ（Ｅ3）が取得されるとともに、この物品Ｅ1、Ｅ2、Ｅ3等が収納される収納ケースＦ1が撮影されて、撮影画像データＤ（Ｆ）が取得される。取得された撮影画像データＤ（Ｅ1）〜Ｄ（Ｅ3）およびＤ（Ｆ）は、ホームサーバ８２に伝送され、ホームサーバ８２の制御部９０によって、関連付けられて、記憶部８８に記憶される。なお、物品Ｅの撮影画像データＤ（Ｅ）および収納ケースＦの撮影画像データＤ（Ｆ）は、それぞれ、図１の例におけるコンテンツＣおよび識別情報Ｄ２に対応する。
【０１３３】
収納ケースＦ１に物品Ｅ４が追加されるときは、図１５（Ｂ）に示すように、収納ケースＦ１の撮影画像データＤ（Ｆ1）と、追加される物品Ｅ４の画像データＤ（Ｅ4）とが、携帯機器８６によって取得され、ホームサーバ８２に伝送される。
ホームサーバ８２では、撮影画像データＤ（Ｆ1）が、記憶部８８に既に記憶されている撮影画像データＤ（Ｆ1）と合致することを認識し、撮影画像データＤ（Ｅ4）を、既に影画像データＤ（Ｆ1）に関連付けて記憶されている撮影画像データＤ（Ｅ1）〜Ｄ（Ｅ3）とセットにして記憶する。
【０１３４】
収納ケースＦ１から、物品Ｅ４が抜き出されるときは、携帯機器８６またはホームサーバ８２で、削除モードに設定された状態で、図１５（Ｃ）に示すように、収納ケースＦ1の撮影画像データＤ（Ｆ1）と、抜き出される物品Ｅ４の画像データＤ（Ｅ4）とが、携帯機器８６によって取得され、ホームサーバ８２に伝送される。
ホームサーバ８２では、削除モードで撮影画像データＤ（Ｆ1）を受信することにより、削除対象が撮影画像データＤ（Ｆ1）であることを認識し、続いて受信した画像データＤ（Ｅ4）に合致する画像データＤ（Ｅ）を撮影画像データＤ（Ｆ1）の関連データの中から検出して、該当データを削除する。
【０１３５】
このようにして物品Ｅおよび収納ケースＦのデータがホームサーバ８２の記憶部８８に蓄積される。
【０１３６】
後日、収納ケースＦに収納されている内容（物品Ｅ）を確認したい場合（参照時）には、図１６（Ａ）に示すように、携帯機器８６によって、収納ケースＦtの外観が撮影され、収納ケースＦtの撮影画像データＤ（Ｆt）がホームサーバ８２へ送信される。撮影画像データＤ（Ｆt）を受信したホームサーバ８２は、制御部９０によって、記憶部８８内の撮影画像データＤ（Ｆ）群から、撮影画像データＤ（Ｆt）に合致するものを検出し、撮影画像データＤ（Ｆt）に対応付けられているすべての撮影画像データＤ（Ｅ）を携帯機器８６に返送する。そして、携帯機器８６において、収納ケースＦtに収納された物品Ｅのすべての画像が順次または複数同時に再生される。
【０１３７】
また、物品Ｅtが手元に無く、物品Ｅtが収納されている収納ケースＦtを探索したい場合には、その探索および探索結果の表示は、上述の図６〜図９に示して説明した方法と同様の方法により行うことができる。すなわち、ホームサーバ８２の記憶部８８に記憶されている物品Ｅ群を、携帯機器８６またはホームサーバ８２に接続されたモニタ（図示しない）に表示し、ユーザによって物品Ｅｔが指定されることによって、その物品Ｅtの撮影画像データＤ（Ｅt）を基にホームサーバ８２において検索を行い、検索結果として、該当する収納ケースＦtの撮影画像を携帯機器８６またはホームサーバ８２のモニタに、他の収納ケースＦと識別できるように表示するようにすればよい。
【０１３８】
また、物品Ｅtが手元にあって、物品Ｅtが収納されるべき収納ケースＦtを探索したい場合には、携帯機器８６によって物品Ｅの撮影画像データＤ（Ｅt）が取得され、このデータを基にホームサーバ８２において検索が行われ、検索結果として、該当する収納ケースＦの撮影画像が携帯機器８６の表示部またはホームサーバ８２のモニタに表示されるようにすればよい（図１６（Ｂ）参照）。
【０１３９】
以上のように、本発明の第７の実施形態によれば、収納ケースを撮影することで、その収納ケースに収納された物品の内容を確認できる。また、物品を撮影またはホームサーバ８２おいて選択することで、その物品がどの収納ケースに収納されているかを簡単に知ることができる。また、同一の収納ケースへの物品の追加や取り出しにも簡単な操作で対応できるので、物品の収納管理を簡単かつ正確に行うことができる。
【０１４０】
以上、本発明に係るコンテンツ表示方法およびコンテンツ表示システムについて詳細に説明したが、本発明は上記種々の実施例に限定されず、本発明の主旨を逸脱しない範囲において、種々の改良や変更をしてもよいのはもちろんである。
【図面の簡単な説明】
【０１４１】
【図１】（Ａ）〜（Ｃ）は、本発明のコンテンツ表示方法を実施する本発明のコンテンツ表示システムの概略構成の第１の実施形態を示す概念図である。
【図２】（Ａ）および（Ｂ）は、本発明のコンテンツ表示システムの第２の実施形態の概略構成を示す概念図である。
【図３】（Ａ）〜（Ｃ）は、本発明のコンテンツ表示システムの第３の実施形態の概略構成を示す概念図である。
【図４】（Ａ）〜（Ｃ）は、本発明のコンテンツ表示システムの第４の実施形態の概略構成を示す概念図である。
【図５】（Ａ）〜（Ｄ）は、本発明のコンテンツ表示システムの第５の実施形態の概略構成を示す概念図である。
【図６】第１の実施形態のコンテンツ表示システム１０による記録媒体探索のシステム構成の一例を示す図である。
【図７】（Ａ）および（Ｂ）は、記録媒体Ｍの探索結果の表示例を示す図である。
【図８】第１の実施形態のコンテンツ表示システム１０による記録媒体探索のシステム構成の他の例を示す図である。
【図９】第１の実施形態のコンテンツ表示システム１０による記録媒体探索のシステム構成のさらに異なるの例を示す図である。
【図１０】第３または第４の実施形態のコンテンツ表示システム１０ｂまたは１０ｃによる記録媒体探索のシステム構成の一例を示す図である。
【図１１】（Ａ）〜（Ｃ）は、本発明の第６の実施形態の概略構成を示す概念図である。
【図１２】（Ａ）および（Ｂ）は、図１２のコンテンツ表示システム５０におけるプリントＡの追加方法を説明する図である。
【図１３】（Ａ）および（Ｂ）は、図１２のコンテンツ表示システム５０におけるプリントＡの削除方法を説明する図である。
【図１４】図１２のコンテンツ表示システム５０における収納ファイル探索方法を説明する図である。
【図１５】（Ａ）〜（Ｃ）は、本発明の第７の実施形態の概略構成を示す概念図である。
【図１６】（Ａ）および（Ｂ）は、本発明の第７の実施形態の概略構成を示す概念図である。
【符号の説明】
【０１４２】
１０、１０ａ、１０ｂ、１０ｃ  コンテンツ表示システム
１２  ホームサーバ
１４  記録手段
１６、１６ｂ  携帯機器
１８  記憶部
２０  制御部
２２  ラベルプリンタ
２４  携帯機器の記憶部
２６  携帯機器の制御部
２８  記録手段の表示パネル
３０  コンテンツ表示システム
３２  デジタルカメラ
３４  記録媒体装着部
３６  内蔵メモリ
３８  制御部
４０  表示部
４２  モニタ
４４  指示入力手段
４６  携帯機器の表示部
５０  コンテンツ表示システム
５２  プリントサーバ
５４  プリンタ
５６  携帯機器
５８  記憶部
６０  制御部
８０  コンテンツ表示システム
８２  サーバ
８６  携帯機器
８８  記憶部
９０  制御部
Ｃ  コンテンツ（本体データ）
Ｉ  コンテンツ概要データ
Ｄ１  記録処理情報
Ｄ２  記録媒体の識別情報
Ｍ  記録媒体
Ｌ  ラベル
【図１】
2005284367.tif 000003
【図２】
2005284367.tif 000004
【図３】
2005284367.tif 000005
【図４】
2005284367.tif 000006
【図５】
2005284367.tif 000007
【図６】
2005284367.tif 000008
【図７】
2005284367.tif 000009
【図８】
2005284367.tif 000010
【図９】
2005284367.tif 000011
【図１０】
2005284367.tif 000012
【図１１】
2005284367.tif 000013
【図１２】
2005284367.tif 000014
【図１３】
2005284367.tif 000015
【図１４】
2005284367.tif 000016
【図１５】
2005284367.tif 000017
【図１６】
2005284367.tif 000018